(57)【特許請求の範囲】
【請求項１】
建物の床スラブ上に支持ブロックを介して床構造体が設置された二重床構造体であって、
前記床構造体と前記建物の躯体壁との間にスキマをもたせるスペーサが付設されており、
前記スキマを介して、前記床構造体の下の床下空間と、前記建物躯体壁と室内壁との間の空間（壁裏空間）とが連通していることを特徴とする二重床構造。
【請求項２】
前記室内壁の下部に前記壁裏空間と室内空間との連通孔が設けられており、
前記床下空間、壁裏空間及び室内が相互に連通していることを特徴とする請求項１記載の二重床構造。
【発明の詳細な説明】
【０００１】
【発明の属する技術分野】
本発明は、集合住宅や一般住宅の二重床構造に関する。二重床構造とは、コンクリート等の床スラブ上に空間を設けて床を設けた床構造のことである。なお、本発明の二重床構造は、床暖房温水マット（温水式又は電気式）を有する構造を含む。
【０００２】
【従来の技術及び発明が解決しようとする課題】
二重床構造は、コンクリート等の下地スラブ上に配列された支持ブロックと、同ブロック上に支持された床構造体から構成される。支持ブロックは、床構造体を下地スラブ上に支持するためのもので、同ブロックの上方から床構造体のレベルを調整できるようになっている。このような構成により、床構造体と下地スラブとの間には床下空間が形成される。
【０００３】
このような二重床構造においては、床表面へ加えられる重量衝撃音（子供が飛び跳ねたときの音や物を落としたときの音）が、下地スラブと床構造体との間の空間で共振して（タイコ現象）、振動エネルギーを発生させ、この振動エネルギーが際根太等を介して階下や隣の部屋に伝わり、騒音問題を起こすことがある。重量衝撃音の伝達は、床構造体に含まれる遮音シートである程度は緩和されるが、この遮音シートのみでは十分に低減できない。
【０００４】
本発明は上記の問題点に鑑みてなされたもので、重量衝撃音による振動エネルギーの発生を抑えることのできる二重床構造を提供することを目的とする。
【０００５】
【課題を解決するための手段】
上記課題を解決するため、本発明の二重床構造は、  建物の床スラブ上に支持ブロックを介して床構造体が設置された二重床構造体であって、  前記床構造体と前記建物の躯体壁との間にスキマをもたせるスペーサが付設されており、前記スキマを介して、前記床構造体の下の床下空間と、前記建物躯体壁と室内壁との間の空間（壁裏空間）とが連通していることを特徴とする。
スペーサで床構造体と建物の躯体壁との間にスキマを形成することにより、床と床下空間における振動エネルギーを、床スラブ等の建物躯体に伝えず、上記スキマから逃がすことができる。このため、振動エネルギーの階下の部屋への伝達を防ぎ、重量衝撃音を低減できる。
【０００６】
本発明においては、  前記スキマを介して、前記床構造体の下の床下空間と、前記建物躯体壁と室内壁との間の空間（壁裏空間）とが連通しているので、床下空間で発生する振動エネルギーを壁裏空間に逃がして緩和できる。
【０００７】
本発明においては、  前記室内壁の下部に前記壁裏空間と室内空間との連通孔が設けられており、  前記床下空間、壁裏空間及び室内が相互に連通していることとすれば、床下空間で発生する振動エネルギーを室内に逃がして緩和できる。
【０００８】
本発明においては、  前記スペーサが、弾性体からなることとすれば、床構造の振動の建物の躯体壁への伝達を緩衝できるとともに、スキマに簡単に取り付けることができる。また、前記スペーサの断面形状がコの字状であり、コの字の中に根太材を保持する構成とすることにより、置き根太と躯体壁とのスキマにも適用できる。
【０００９】
【発明の実施の形態】
以下、図面を参照しつつ説明する。
図１は、本発明の第１の実施の形態に係る二重床構造を説明する側面断面図である。
図２は、図１の二重床構造の平面図である。
二重床構造１は、コンクリート等のスラブ床２上に配列された支持ブロック３及び置き根太５と、支持ブロック３及び置き根太５上に支持された床構造体７を有する。置き根太５は、躯体壁Ｗの壁際に沿って配置されており、支持ブロックは３は床面の中央部分に配置されている。
【００１０】
床構造体７は、この例では、支持ブロック３及び置き根太５上に載置された下地板９の層と、下地板９の層上に敷設された断熱遮音シート１１の層と、断熱遮音シート１１の層上に敷設された床暖房温水マット１３の層と、温水マット１３の層上に敷設された床板（フローリング材）１５とから構成される。
【００１１】
支持ブロック３は、防音性ゴム脚１７と支持板１９とを備える。ゴム脚１７の中央には上方に延びる鋼鉄製のボルト２１が一体に設けられている。ボルト１９は、支持板１７の中央に貫通して固定されたナット２３とかみ合う。ドライバー等によってボルト２１を回転させることにより、ゴム脚１７と支持板１９との間隔が変わり、スラブ床２から支持板１９までの高さが変わる。
【００１２】
置き根太５は、躯体壁Ｗに沿って床２に平行に延びる根太材２５と、ゴム脚２７とを備える。根太材２５には、長さ方向に所定の間隔で上下貫通孔２９が開けられている。貫通孔２９の下開口にはナット３１がはめ込まれて固定されている。ゴム脚２７の中央には上方に延びるボルト３３が設けられており、このボルト３３はナット３１とかみ合う。貫通孔２９からドライバー等を入れ、ドライバーでボルト３３を回転させることにより、ゴム脚２７と根太材２５との間隔が変わり、スラブ床２から根太材２５までの高さが変わる。
【００１３】
下地板９は、一例で、長さ１８２０ｍｍ、幅６００ｍｍ、厚さ２０ｍｍの木毛繊維板である。隣り合う下地板９の間には、支持ブロック３のボルト２１の頭部先端面が上方に露出するスキマが開けられている。下地板９は、コーススレッドスクリュービス３５で支持ブロック３の支持板１９に固定されている。スキマの上方からドライバーを入れ、支持ブロック３のボルト２１を回転させて支持ブロック３のレベル調整を行うことができる。
【００１４】
断熱遮音シート１１は、繊維板層１１ａとアスファルト層１１ｂが接着された二層構造材であり、一例で幅が６００ｍｍ、長さ６００ｍｍ、厚さは１２ｍｍである。繊維板層１１ａはオレフィン系バインダーを介して圧縮成形された繊維板で、厚さは一例で４〜８ｍｍ、アスファルト層１１ｂは高比重アスファルト系遮音材で、厚さは一例で６〜１０ｍｍである。断熱遮音シート１１は、繊維板層１１ａが上側、アスファルト層１１ｂが下側となるように下地板９上に載置される。
【００１５】
温水マット１３は、一例で、厚さが１２ｍｍで、温水パイプ３７が埋め込まれたフォーム材等の断熱材３９と、木製の小根太４１とから構成される。この小根太４１が断熱遮音シート１１と下地板９にビス４３で固定されている。
床材１５は床暖房用フローリング材で、一例で厚さが１２ｍｍである。床材１５は、温水マット１３の小根太４１と断熱遮音シート１１にフロアー釘４７で固定されている。
【００１６】
建物の躯体壁Ｗ側の床構造体７及び置き根太５と、躯体壁Ｗとの間には、スペーサ５１が介在されている。スペーサ５１はゴム等の弾性材料で作製され、硬度が５０〜７０（単位ＪＩＳＡゴム硬度）であることが好ましい。スペーサ５１は平板状で、一例で縦３０〜５０ｍｍ、横３０〜５０ｍｍ、厚さ５〜１０ｍｍである。スペーサ５１は、床構造体７及び置き根太５の根太材２５と、躯体壁Ｗとの間に挟まれて、根太材２５から躯体壁Ｗに打たれるビス５３や、粘着テープ、接着剤によって両者の間に固定されている。スペーサ５１は、躯体壁Ｗの幅方向に沿って、例えば１０００ｍｍ間隔で配置される。このスペーサ５１によって、床構造体上に取り付けられる壁パネル（図示されず）と躯体壁Ｗとの間にスキマが形成される。
【００１７】
このような構造により、床構造体７とスラブ床２との間の空間Ｐｓ（床下空間）は、スペーサ５１の両側のスキマＳ（図２参照）を介して壁裏空間Ｐｗ（図４参照）と連通する。したがって、床構造体７に加わる重量衝撃音が床下空間Ｐｓで共振して発生した振動エネルギーは、スペーサ５１の両側のスキマＳから壁裏空間Ｐｗに逃げ、建物のスラブ床２にはあまり印加されず、階下の部屋に音が伝わりにくい。
【００１８】
図３は、本発明の第２の実施の形態に係る二重床構造を説明する側面図である。
この例は、床構造体７上にパネル壁を設けない場合を示す。この場合は、置き根太５と建物の躯体壁Ｗとの間に、断面がコの字状のスペーサ６１が介在される。また、床構造体７の下地板の長さが、他の構造体の部分（防熱遮音シートや温水マット）よりやや短くなっている。
【００１９】
スペーサ６１はゴム等で作製され、断面形状がコの字状であり、上部６１ａと下部６１ｂ、両部を接続する側部６１ｃからなる。上部６１ａは下部６１ｂより短い。また、上部６１ａの厚さは、床構造体７の下地板９の厚さとほぼ等しい。上部６１ａの上面の先端はやや下方向に傾斜しており、下部６１ｃの下面の先端はやや上方向へ傾斜している。スペーサ６１は、置き根太５の根太材２５の上下面と躯体壁側の面の３面を挟むように取り付けられる。このとき、側部６１ｃの外面が躯体壁Ｗに接する。また、上部６１ａは床構造体７の防熱遮音シート１１及び下地板９と、根太材２５の上面との間のスキマにはめ込まれる。
このスペーサ６１も、躯体壁Ｗの幅方向に沿って、例えば１０００ｍｍ間隔で配置される。
【００２０】
このような構造によっても、床下空間Ｐｓと壁裏空間Ｐｗが連通し、床構造体７に加わる重量衝撃音が床下空間で共振して発生した振動エネルギーは、スペーサ６１の両側のスキマＳから壁裏空間Ｐｗに逃げ、建物のスラブ床２にはあまり印加されず、階下の部屋に音が伝わりにくい。
【００２１】
以上の実施例においては、床構造体と躯体壁との間に、ゴム等の弾性材料で作製されたスペーサを介在させているため、床構造体に加わる振動が建物のスラブ床にあまり印加されず、階下の部屋への重量衝撃音を低減できる。
【００２２】
図４は、本発明の第３の実施の形態に係る二重床構造を説明する側面図である。
図５は、図４の二重床構造を詳細に説明する図であり、図５（Ａ）は一部拡大図、図５（Ｂ）は受け材の斜視図である。
この例は、床構造体７上に壁パネル７１を施工した場合を示す。置き根太５と床構造体７は、躯体壁Ｗからやや離れた内側に配置されている。
【００２３】
壁パネル７１は、左右のフレーム材７３と、このフレーム材７３の下端を接続する下フレーム材７５を有し、左右フレーム材７３の室内側の面には石膏ボード７７が貼られている。この壁パネル７１を床構造体７上に設置するには、まず、受け材７９を床構造体７上に躯体壁Ｗに沿って配置する。図５（Ｂ）に示すように、受け材７９は断面形状がコの字状で、底部７９ａと、底部７９ａの両側から立設する側部７９ｂ、７９ｃからなる。底部７９ａと２つの側部７９ｂ、７９ｃからなる空間に、壁パネル７１の下フレーム７５がはめ込まれる。受け材７９の一方の側部７９ｃには、上下に延びる切り欠き８１が形成されている。この切り欠き８１がある方の側部７９ｃが、建物の躯体壁Ｗ側に配置される。
【００２４】
図５（Ａ）に拡大して示すように、受け材７９に嵌め込まれた壁パネル７１の下フレーム７５の室内側の下辺に沿って、壁パネル７１の幅方向に延びる下巾木８３が取り付けられている。下巾木８３は、断面形状がＺ字状で、上部８３ａ、段部８３ｂ、下部８３ｃからなる。下巾木８３は、段部８３ｂの下面を受け材７９の室内側側部７９ｂの上面に置き、同時に上部８３ａを壁パネル７１の下フレーム７５の室内側の面に当て、下部８３ｃを受け材７９の室内側側部７９ｂの外面に当てた状態で、釘で受け材７９に固定される。下巾木８３の高さは、壁パネル７１の下フレーム７５の高さとほぼ等しい。
【００２５】
壁パネル７１の下フレーム７５のやや上方には、下巾木８３と同じ方向に延びる上巾木８５が取り付けられている。上巾木８５は、断面形状がＴ字型で、横方向に延びる段部８５ａと、段部８５ａの先端で縦方向に延びる側部８５ｂとからなる。上巾木８５は、段部８５ａの端面が、下巾木８３の上部８３ａの上端のやや上方で、床面と平行に延びるように、壁パネル７１の左右フレーム７３に釘で固定されている。これにより、上巾木８５と下巾木８３との間には、断面形状がＺ字状の空間Ｐｈが形成される。
そして、上巾木８５の段部８５ｂ上に石膏ボード７７がはめ込まれる。石膏ボード７７の室内側の面の下辺部は、上巾木８５の側部８５ｂの上側の部分で保持される。
【００２６】
このような構造により、まず、受け材７９の側部７９ａの切り欠き８１を介して、床下空間Ｐｓと壁裏空間Ｐｗが連通する。そして、壁裏空間Ｐｗは、左右フレーム７３間の空間と、上巾木８５と下巾木８３との空間Ｐｈを通って室内空間Ｐｒと連通する。したがって、床下空間Ｐｓの振動エネルギーは、図中矢印で示すように、この連通路を通って室内に逃がされる。
【００２７】
図６は、本発明の第４の実施の形態に係る二重床構造を説明する側面図である。
この例も、床構造体７上に壁パネル７１を施工した例であるが、平板状の巾木９１を一枚使用している。
【００２８】
この例においても、図５（Ｂ）で示した受け材と同じ受け材７９を使用している。そして、壁パネル７１の室内側の下辺部に沿って、巾木９１が配置されている。巾木９１は受け材７９に釘で固定されている。
【００２９】
このような構造により、床下空間Ｐｓが、受け材７９の切り欠き８１を介して、壁裏空間Ｐｗと連通し、床下空間Ｐｓの振動エネルギーを壁裏空間Ｐｗに逃がすことができる。
【００３０】
【発明の効果】
以上の説明から明らかなように、本発明によれば、床下空間から壁裏空間または室内空間への空気の通路を形成したことにより、重量衝撃音により発生する振動エネルギーをこれらの空間に逃がし、振動エネルギーのスラブ床への伝達を防ぐことができる。このため、重量衝撃音が低減できる二重床構造を提供できる。
【図面の簡単な説明】
【図１】本発明の第１の実施の形態に係る二重床構造を説明する側面断面図である。
【図２】図１の二重床構造の平面図である。
【図３】本発明の第２の実施の形態に係る二重床構造を説明する側面図である。
【図４】本発明の第３の実施の形態に係る二重床構造を説明する側面図である。
【図５】図４の二重床構造を詳細に説明する図であり、図５（Ａ）は一部拡大図、図５（Ｂ）は受け材の斜視図である。
【図６】本発明の第４の実施の形態に係る二重床構造を説明する側面図である。
【符号の説明】
１  二重床構造                    ２  スラブ床
４  支持ブロック                  ５  置き根太
７  床構造体                      ９  下地板
１１  断熱遮音シート              １３  温水マット
１５  床板（フローリング材）      １７  防音性ゴム脚
１９  支持板                      ２１  ボルト
２３  ナット                      ２５  根太材
２７  ゴム脚                      ２９  貫通孔
３１  ナット                      ３３  ボルト
３５  ビス                        ３７  温水パイプ
３９  断熱材                      ４１  小根太
４３  ビス                        ４７  フロアー釘
５１  スペーサ                    ６１  スペーサ
７１  壁パネル                    ７３  フレーム材
７５  下フレーム材                ７７  石膏ボード
７９  受け材                      ８１  切り欠き
８３  下巾木                      ８５  上巾木
９１  巾木
【図１】
0003851212.tif 000002
【図２】
0003851212.tif 000003
【図３】
0003851212.tif 000004
【図４】
0003851212.tif 000005
【図５】
0003851212.tif 000006
【図６】
0003851212.tif 000007